(57)【特許請求の範囲】
【請求項１】
上部が開口されるとともに、内部にグリル庫が配置される筐体と、
前記筐体の上部に設置される天板と、
弾性変形する金属で形成され、前記グリル庫の上面と前記天板との間において前記グリル庫の上方を覆い、前記グリル庫から前記天板への熱伝導を防止する遮熱板とを備えたこんろであって、
前記グリル庫の両側面と前記筐体の両側壁との間にそれぞれ設けられ、前記遮熱板を前記筐体の内部において支持するための支持部と、
前記グリル庫の前記上面における前記両側面側の縁部のそれぞれにおいて上方に突出する突出部と
を備え、
前記突出部の上端は、前記支持部よりも上方に配置され、前記遮熱板に下側から当接し、
前記遮熱板の左右の縁部のそれぞれには、前記支持部によって支持される被支持部が設けられており、
前記支持部同士を結ぶ距離は、前記被支持部同士を結ぶ距離よりも短くされており、
前記遮熱板は、上方に湾曲変形した状態で前記被支持部において前記支持部に支持され、
前記支持部は、前記突出部よりも低い所定位置において前記グリル庫に向けて延びる延出部を備え、
前記延出部の前記グリル庫側の端部は、前記被支持部に上側から当接することを特徴とするこんろ。
【請求項２】
前記遮熱板における前記突出部の前記上端が当接する部分は、上方に突出して前記上端を覆っていることを特徴とする請求項１に記載のこんろ。
【請求項３】
前記被支持部は、前記遮熱板の前記左右の縁部のうち前記延出部が当接する位置に対応する位置が前記延出部の前後方向における長さよりも長い幅で切り欠かれて形成された切欠き部を有し、
前記延出部の前記グリル庫側の端部は、前後方向に所定の長さを有して下方に延びる屈曲部を有し、
前記切欠き部は、前記屈曲部の下側に配置され、
前記屈曲部の下端は、前記切欠き部の縁部に上側から当接することを特徴とする請求項１または２に記載のこんろ。
【請求項４】
前記支持部は、平面視において左右方向に延びるスリットを有し、
前記被支持部は、開口部を前記筐体の前記両側壁に向けて、前記スリットの前記両側壁側の端部を上下に挟む鉤状部を有することを特徴とする請求項１から３のいずれかに記載のこんろ。
【請求項５】
前記遮熱板の前記左右の縁部は、前記遮熱板の上面に対して下方に位置する面部であり、
前記面部は、前記遮熱板の内側から外側へ向けて下方に傾斜していることを特徴とする請求項１から４のいずれかに記載のこんろ。
【発明の詳細な説明】
【技術分野】
【０００１】
本発明は、グリル庫を備えるこんろに関する。
【背景技術】
【０００２】
従来、グリル庫を備えるこんろが知られている。特許文献１に開示されたこんろは、被加熱物を収納して加熱するためのグリル庫を筐体の内部に備えている。グリル庫の上壁とトッププレートとの間には、グリル庫からトッププレートへ熱の伝達を抑制するための遮熱板が設けられている。遮熱板の前端は正面パネルに、遮熱板の左右の端部はグリル庫の内側面に、それぞれ当接するように配置されている。また、遮熱板の後端は排気室に沿って上方へ折り曲げられて、遮熱板の下側の空間がグリル庫の排気を行う排気口に連通するように配置されている。
【先行技術文献】
【特許文献】
【０００３】
【特許文献１】特開２００４−１４７９８７号公報
【発明の概要】
【発明が解決しようとする課題】
【０００４】
しかしながら、特許文献１に記載のように、遮熱板のそれぞれの端部を、こんろの筐体内部等にそれぞれ支持させる場合、遮熱板の支持のための機構がそれぞれに必要となり、部品点数が増加する可能性がある。こんろの部品点数が増加することは、製造コスト・管理コスト軽減の観点から好ましくない。また、遮熱板の支持のための機構が増えるにつれて、遮熱板を取り付けるための工程が複雑になりやすいといった問題がある。
【０００５】
本発明はこのような問題点を解決するためになされたものであり、少ない部品点数で遮熱板を筐体内部に支持できるこんろを提供することを目的とする。
【課題を解決するための手段】
【０００６】
本発明の請求項１に係るこんろは、上部が開口されるとともに、内部にグリル庫が配置される筐体と、前記筐体の上部に設置される天板と、弾性変形する金属で形成され、前記グリル庫の上面と前記天板との間において前記グリル庫の上方を覆い、前記グリル庫から前記天板への熱伝導を防止する遮熱板とを備えたこんろであって、前記グリル庫の両側面と前記筐体の両側壁との間にそれぞれ設けられ、前記遮熱板を前記筐体の内部において支持するための支持部と、前記グリル庫の前記上面における前記両側面側の縁部のそれぞれにおいて上方に突出する突出部とを備え、前記突出部の上端は、前記支持部よりも上方に配置され、前記遮熱板に下側から当接し、前記遮熱板の左右の縁部のそれぞれには、前記支持部によって支持される被支持部が設けられており、前記支持部同士を結ぶ距離は、前記被支持部同士を結ぶ距離よりも短くされており、前記遮熱板は、上方に湾曲変形した状態で前記被支持部において前記支持部に支持され、前記支持部は、前記突出部よりも低い所定位置において前記グリル庫に向けて延びる延出部を備え、前記延出部の前記グリル庫側の端部は、前記被支持部に上側から当接することを特徴とする。
【０００７】
【０００８】
請求項２に係るこんろは、請求項１に記載の構成に加えて、前記遮熱板における前記突出部の前記上端が当接する部分は、上方に突出して前記上端を覆っていることを特徴とする。
【０００９】
【００１０】
請求項３に係るこんろは、請求項１または２に記載の構成に加えて、前記被支持部は、前記遮熱板の前記左右の縁部のうち前記延出部が当接する位置に対応する位置が前記延出部の前後方向における長さよりも長い幅で切り欠かれて形成された切欠き部を有し、前記延出部の前記グリル庫側の端部は、前後方向に所定の長さを有して下方に延びる屈曲部を有し、前記切欠き部は、前記屈曲部の下側に配置され、前記屈曲部の下端は、前記切欠き部の縁部に上側から当接することを特徴とする。
【００１１】
請求項４に係るこんろは、請求項１から３のいずれかに記載の構成に加えて、前記支持部は、平面視において左右方向に延びるスリットを有し、前記被支持部は、開口部を前記筐体の前記両側壁に向けて、前記スリットの前記両側壁側の端部を上下に挟む鉤状部を有することを特徴とする。
【００１２】
請求項５に係るこんろは、請求項１から４のいずれかに記載の構成に加えて、前記遮熱板の前記左右の縁部は、前記遮熱板の上面に対して下方に位置する面部であり、前記面部は、前記遮熱板の内側から外側へ向けて下方に傾斜していることを特徴とする。
【発明の効果】
【００１３】
請求項１に係るこんろは、遮熱板の左右の縁部に設けられた被支持部において、筐体内部の支持部に遮熱板が支持されるが、支持部同士を結ぶ距離が、被支持部同士を結ぶ距離よりも短くされているので、遮熱板は弾性変形する。これにより、遮熱板は、上方に湾曲変形した状態で支持部に支持される。この場合、遮熱板は、上方に湾曲変形した状態から湾曲変形していない状態へ復元しようとするため、左右の縁部の被支持部のそれぞれを、筐体の両側壁の方に向けて押し出すようにして支持部に支持される。このとき、突出部の上端が遮熱板に下側から当接するので、遮熱板の突出部に当接する部分が上方に持ち上げられる。一方、遮熱板は、被支持部において、突出部よりも下方に配置されている支持部によって支持されている。このため、遮熱板の突出部に当接する部分と被支持部との間の部分は、上下方向に張力が作用して突っ張った状態になる。ここで、遮熱板は、左右の縁部の被支持部のそれぞれを、筐体の両側壁の方に向けて押し出すようにして支持部によって支持されており、湾曲変形している遮熱板の復元力は、被支持部を支持部に対して押し出すように働く。このため、遮熱板の被支持部近傍には、湾曲変形している遮熱板の復元力に起因する左右方向の張力が作用している。こんろは、突出部を設けることで、遮熱板の被支持部近傍に、左右方向に作用する張力に加えて、上下方向に作用する張力を与えることができる。このため、遮熱板に上下方向に張力が作用していない場合よりも、張力が作用している部分の遮熱板の形状が安定し、支持部に対して被支持部が安定して支持されやすくなる。また、請求項１に係るこんろは、突出部を設けることで、グリル庫の上面と遮熱板との間隔を所定の間隔に規制できる。この間隔には、筐体内部の空気が入り込み、グリル庫からの熱は、この空気を介して遮熱板に伝導する。このため、グリル庫の上面に遮熱板が接している場合に比べて、グリル庫の熱が遮熱板に直接に伝導しにくくなるので、遮熱板の温度が高くなりにくい。遮熱板を介して天板にグリル庫からの熱が伝導するが、遮熱板の温度の上昇が抑制されるので、天板の温度上昇が生じ難い。突出部の上端は、支持部よりも上方に配置されるので、突出部は、遮熱板が上方に湾曲変形した状態を保ちながら、遮熱板をグリル庫の上面の上方において支持できる。遮熱板には、遮熱板の復元力に対する反力が支持部から作用しているが、この反力が大きくなり過ぎると、遮熱板がさらに上方に湾曲変形することで、支持部から遮熱板が外れやすくなる可能性がある。請求項１に係るこんろは、支持部が延出部を有し、遮熱板の左右の縁部における被支持部に延出部の前記グリル庫側の端部が上側から当接するので、遮熱板の左右の縁部における延出部が当接する部分に、遮熱板の左右の縁部を筐体の両側壁に向けて押し出す方向の力が作用する。これにより、支持部から遮熱板に作用する反力が一部規制されて、支持部から遮熱板が外れにくくなる。この場合、被支持部は、筐体の両側壁に向けて支持部をより強く押し出すことができるので、遮熱板が支持部に対してより安定して支持される。よって、遮熱板は、遮熱板を支持するためのねじ止め部等、他の機構を特段に設けることなく、支持部によって安定して支持される。従って、請求項１に係るこんろは、少ない部品点数で遮熱板を筐体内部に支持できる。
【００１４】
【００１５】
請求項２に係るこんろは、請求項１に記載の発明の効果に加えて、遮熱板に突出部の上端が当接する部分が上方に突出し、突出部の上端を覆っているので、遮熱板を支持部に支持する際に、遮熱板を位置決めしやすい。また、温度の上昇した天板が熱によって歪み、下方に変位することがあっても、遮熱板に突出した部分が設けられているので、変位した天板は遮熱板の突出した部分に接触する。即ち、天板が熱によって歪んだ場合であっても、天板が遮熱板の全体に接触することが防止されるので、天板の温度が上昇し難い。
【００１６】
【００１７】
遮熱板を支持部において支持させる作業は、遮熱板の左右の端部に外力を加えて上方に湾曲変形させながら遮熱板の被支持部を支持部に支持させることで行われる。請求項３に係るこんろは、請求項１または２に記載の発明の効果に加えて、被支持部が遮熱板の左右の縁部のうち立設部に対応する位置に形成された切欠き部を有しているので、切欠き部が有していない場合よりも湾曲変形の度合いを少なくして、遮熱板を支持部に対して支持することができる。即ち、遮熱板を支持部に対して支持するために遮熱板の左右の端部に加える外力を少なくできるので、遮熱板を支持部に対して支持する作業が容易になる。また、延出部の屈曲部の下端は、前後方向に所定の長さを有して延びて切欠き部の縁部に上側から当接することで、遮熱板の切欠き部近傍に張力が加えられる。この張力によって、遮熱板の切欠き部近傍における形状が安定するので、遮熱板が前後方向にずれることが防止される。
【００１８】
請求項４に係るこんろは、請求項１から３のいずれかに記載の発明の効果に加えて、支持部が左右方向に延びるスリットを有し、このスリットの両側壁側の端部が被支持部の鉤状部によって上下方向に挟まれて遮熱板が支持されるので、被支持部の位置が支持部に対して前後方向にずれにくい。また、鉤状部がスリットの両側壁側の端部を挟むことによって、遮熱板の左右方向における位置が定められる。このため、遮熱板の前後方向および左右方向への位置ずれを防止するための他の機構を設けることなく、遮熱板が支持部に対して安定して支持される。
【００１９】
請求項５に係るこんろは、請求項１から４のいずれかに記載の発明の効果に加えて、遮熱板の左右の端部が内側から外側へ向けて下方に傾斜する面部であるので、遮熱板を上方に湾曲変形させて被支持部を支持部に支持させやすい。また、遮熱板の上面が、遮熱板の左右の端部の面部よりも上方に配置されるので、遮熱板全体が上方に湾曲変形された状態に保たれやすい。
【図面の簡単な説明】
【００２０】
【図１】こんろ１の斜視図である。
【図２】筐体２の斜視図である。
【図３】遮熱板４０および遮熱板４０を取り外した筐体２の斜視図である。
【図４】遮熱板４０の斜視図である。
【図５】取付台６０、取付座７０、突出部８０およびガスバーナ５の分解斜視図である。
【図６】取付台６０の平面図である。
【図７】取付台６０に遮熱板４０が支持される様子を示す説明図である。
【図８】筐体２における遮熱板４０の切欠き部４３１周辺を示す拡大斜視図である。
【図９】図２に示すＩ−Ｉ線矢視方向断面図である。
【発明を実施するための形態】
【００２１】
以下、本発明の実施形態について、図面を参照して説明する。以下説明は、図中に矢印で示す上下、左右、前後を使用する。なお、図１に示すテーブルこんろ１（以下、単に、こんろ１と称する。）は、テーブルこんろであるが、ビルトインこんろ等であってもよい。
【００２２】
図１を参照して、こんろ１の構造について説明する。こんろ１は、器具本体を構成する筐体２と、トッププレート３とを備える。筐体２は、上面に開口部２５（図２参照）を備え、略直方体状に形成された金属製である。筐体２の内部には、左右一対のガスバーナ５，５が配置されている。ガスバーナ５，５の各周囲には、五徳６，６がそれぞれ配置されている。五徳６，６の各上部には、鍋、フライパン等を含む調理器具等の被加熱物（図示せず）が載置される。
【００２３】
ガスバーナ５は、筐体２の内部に配置されたバーナ本体５０（図２参照）と、バーナヘッド５２とを主に備える。バーナ本体５０の上部にバーナヘッド５２が載置されることで、バーナヘッド５２の外周部に多数の炎口５１が形成される。バーナヘッド５２の中央には、内部にサーミスタを格納し、鍋底温度等、被加熱物の温度を検知するための鍋センサ５３が、バーナヘッド５２およびバーナ本体５０の中央を貫通するように設けられている。バーナヘッド５２後方の炎口５１近傍には、放電による点火を行うための点火電極５４（図５参照）および火炎の有無を検知するための熱電対５５（図５参照）が設けられている。
【００２４】
筐体２の正面中央には、グリル扉１０が設けられている。グリル扉１０の下部には、取っ手１０Ａが前方に突出して設けられている。こんろ１の使用者は、取っ手１０Ａを把持してグリル扉１０を引き出すことで、グリル庫７（図３参照）を開閉できる。
【００２５】
グリル扉１０の右側には、点火スイッチ１１，１２等がそれぞれ設けられている。点火スイッチ１１は、グリル扉１０の右側に隣接して設けられ、右側のガスバーナ５の点火／消火の操作を行う。点火スイッチ１２は、点火スイッチ１１の右隣に設けられ、グリル庫７の内部に設けられたグリルバーナ７Ｅ（図２参照）の点火／消火の操作を行う。グリル扉１０の左側には、点火スイッチ１３、電池ケース１４等がそれぞれ設けられている。点火スイッチ１３は、グリル扉１０の左側に隣接して設けられ、左側のガスバーナ５の点火／消火の操作を行う。電池ケース１４は、点火スイッチ１３の左隣に設けられ、こんろ１の電源として、例えば二つの乾電池（図示せず）を格納する。
【００２６】
トッププレート３は、筐体２の開口部２５を閉塞して、筐体２の上部に固定されている。トッププレート３は、例えばホーロー加工された一枚の板金をプレス加工することで形成される。トッププレート３の上面３１の外周縁部を除く領域には、一段下方に低くなった平面視略長方形状の凹部３２が設けられている。凹部３２には、左右一対の略円形のバーナ開口４，４が形成されており、トッププレート３が筐体２の上部に設置されることで、ガスバーナ５が筐体２側から上方に突出して、各バーナ開口４の中央に臨む。凹部３２においてバーナ開口４，４およびその周辺部は、それぞれ同じ構成を備える。バーナ開口４の周縁部には、五徳装着部３３が設けられている。五徳装着部３３は、トッププレート３に五徳６を配置するために設けられる部位である。五徳装着部３３は、平面視略円形状に形成され、凹部３２よりも上方に膨出する。五徳装着部３３には、五徳６の五徳リング６Ａが上方から装着される。
【００２７】
トッププレート３の後方には、複数の排気孔を備える排気口カバー７Ｂが設置されている。排気口カバー７Ｂは、トッププレート３の後方に設けられる排気口（図示せず）を上側から覆うカバー部材である。排気口は、筐体２内に設置されるグリル庫７（図３参照）の内部と後述する排気部７Ｃ（図２参照）を介して連通する。トッププレート３の外縁には、上面３１から延設された板金が筐体２上部の外周に沿うように下方に折り返された外周部３９が設けられている。トッププレート３は、筐体２の上部に配置され、外周部３９の複数の所定位置においてねじ止めされて筐体２に固定されている。
【００２８】
図２および図３を参照して、筐体２の内部構造について説明する。筐体２は、前壁２１、右側壁２２、左側壁２３、後壁２４、底壁（図示せず）を備える。前壁２１、右側壁２２、左側壁２３、後壁２４によって囲まれてなる筐体２の開口部２５の内側に、グリル庫７、遮熱板４０、一対の取付台６０，６０、ガスバーナ５，５等が備えられている。グリル庫７は、開口部２５の略中央に配置される略直方体状である。グリル庫７の後部には、グリル庫７の内部と前述のトッププレート３の排気口とに連通してグリル庫７内部の燃焼排気をこんろ１の外部へ排出するための排気部７Ｃが設けられている。
【００２９】
遮熱板４０は、筐体２の内部に取り付けられることで、上下方向においてグリル庫７とトッププレート３との間に位置に配置され、グリル庫７の上側を覆う平面視略長方形状の板状である。遮熱板４０は、グリル庫７内のグリルバーナ７Ｅによる加熱調理に伴ってグリル庫７から発生する熱を受け止めて、グリル庫７の熱がトッププレート３に直接伝導することを防止する。遮熱板４０は、弾性変形する金属で形成されている。本実施形態において、遮熱板４０は、表面にアルミニウムめっきが施された薄手の鉄板で形成されている。
【００３０】
一対の取付台６０，６０は、筐体２の左部および右部から開口部２５の内側へ向けて延び、筐体２の内部にガスバーナ５，５を固定するための骨組である。左側の取付台６０は、開口部２５の前後方向における略中央において、左側壁２３とグリル庫７との間に架設される。右側の取付台６０は、開口部２５の前後方向における略中央において、右側壁２２とグリル庫７との間に架設される。取付台６０は、前後方向において対称となるように形成されており、左側の取付台６０と右側の取付台６０とは同一形状である。左側の取付台６０は左側のガスバーナ５を、右側の取付台６０は右側のガスバーナ５を、それぞれの上部において支持する。一対の取付台６０，６０は、左側壁２３および右側壁２２とグリル庫７とを架設することで、こんろ１全体の強度を向上する役割も担う。一対の取付台６０，６０の左側壁２３側および右側壁２２側の端部には、垂直上方に延びる壁部６１３が立設されている。一対の取付台６０，６０のグリル庫７側の端部には、グリル庫７における左側壁２３側および右側壁２２側の縁部の上面から上方に延出する延出部６１０が設けられている。延出部６１０は、前後方向に所定の長さを有して垂直上方に延びる壁部６１４と、壁部６１４の上端から筐体２の内側に向かって略水平に延びる上側部６１５とを備える。
【００３１】
ガスバーナ５，５は、後述する取付座７０（図５参照）を介して、一対の取付台６０，６０のそれぞれに対してねじ止めによって取り付けられている。ガスバーナ５のバーナ本体５０の下部には、ガスと空気の混合気をバーナ本体５０に向けて通過させる混合管部が接続されている。
【００３２】
図３および図４を参照して、遮熱板４０の構造について説明する。遮熱板４０は、上面部４１、二つの接続部４１２、左縁部４２、右縁部４４を備える。上面部４１は、遮熱板４０の上面をなし、略水平方向に延びる略長形状の面部である。上面部４１の左部および右部における前後方向略中央には、上面部４１の上面に対して上方に所定の高さを有して隆起するとともに、左右方向に所定の幅を有して前後方向に沿って延びる二つの隆起部４１１が設けられている。隆起部４１１は、遮熱板４０が筐体２の内部に取り付けられた状態で、取付台６０における延出部６１０の上側部６１５の形状に沿って、上側部６１５を上方から覆うように形成されている。
【００３３】
二つの接続部４１２は、上面部４１の左端および右端から下方に傾斜して延びる面部である。左縁部４２は、上面部４１よりも一段下方に低くなった部分であり、左側の接続部４１２の下端から左方向に延びる面部である。左縁部４２は、左方に向けて下方に緩やかに傾斜している。左縁部４２の左端の前後方向略中央には、被支持部４３が設けられている。被支持部４３は、後述の支持台６３、差込部６５および支持台６３によって支持される取付座７０において遮熱板４０が支持される部分である。被支持部４３は、切欠き部４３１と鉤状部４３２とを備える。切欠き部４３１は、左縁部４２の前後方向略中央が凹状に右方に切り欠かれて形成された部分である。図４のＷ１領域に示すように、鉤状部４３２は、切欠き部４３１の前縁部の左部から下方に延出するとともに、下方に延出した部分の上下方向における略中央に奥部４３２Ａを有する窪みが設けられることで、開口部を左側に向けた略Ｕ字形状の鉤状に形成された部分である。
【００３４】
右縁部４４は、上面部４１よりも一段下方に低くなった部分であり、右側の接続部４１２の下端から右方向に延びる面部である。右縁部４４は、左縁部４２と同様に、右方に向けて下方に緩やかに傾斜している。右縁部４４の前端には、被支持部４６が設けられている。被支持部４６は、後述する支持台６３、差込部６５および支持台６３によって支持される取付座７０において遮熱板４０が支持される部分である。被支持部４６は、切欠き部４６１と鉤状部４６２とを備える。切欠き部４６１は、右縁部４４の前後方向略中央が凹状に左方に切り欠かれて形成された部分である。鉤状部４６２は、切欠き部４６１の前縁部の右部から下方に延出するとともに、下方に延出した部分の上下方向における略中央に奥部４６２Ａを有する窪みが設けられることで、開口部を右側に向けた略Ｕ字形状の鉤状に形成された部分である。なお、右縁部４４のうち切欠き部４６１よりも後方の部分は、右方に向けて略水平に延び、その略中央にグリルバーナ７Ｅとの干渉を避けるための孔部が設けられている。鉤状部４３２，４６２は、それぞれ左右対称の形状を有する。また、切欠き部４６１および鉤状部４６２は、切欠き部４３１および鉤状部４３２と前後方向において同じ位置に配置されている。このため、支持台６３、差込部６５および支持台６３によって支持される取付座７０において被支持部４３，４６が支持されたときに、遮熱板４０が安定した姿勢を備えることができる。以下、これら支持台６３、差込部６５および支持台６３によって支持される取付座７０を合わせて、支持部６００ともいう。支持部６００は、遮熱板４０に当接することで遮熱板４０を筐体２の内部において支持する部位である。
【００３５】
図５および図６を参照して、取付台６０の詳細構造について説明する。なお、左側の取付台６０と右側の取付台６０とは同一形状であるので、図５および図６では、左側の取付台６０を示し、右側の取付台６０についての説明を省略する。取付台６０は、左右方向に延びる金属製の帯状である。取付台６０には、センサ開口６１２、支持台６２，６３および差込部６５が設けられている。センサ開口６１２は、鍋センサ５３を取付台６０に挿通させるため、取付台６０の上面６１略中央に形成された平面視略長方形状の孔部である。
【００３６】
支持台６２，６３は、所定の高さを有し、後述の取付座７０を支持するための部位である。支持台６２は、センサ開口６１２の左側に設けられている。支持台６２は、上面６１の一部が上方に折り曲げられて立設する立設部６２１と、立設部６２１の上端から左方に略水平に延びる板状の上側固定部６２２とを備える。支持台６３は、センサ開口６１２の右側に設けられており、センサ開口６１２を挟んで支持台６２と対向している。支持台６３は、上面６１の一部が上方に折り曲げられて立設する立設部６３１と、立設部６３１の上端から右方に略水平に延びる板状の上側固定部６３２とを備える。上側固定部６２２，６３２には固定穴６２３，６３３がそれぞれ設けられている。なお、上側固定部６２２，６３２は、上面６１に対して、延出部６１０の上側部６１５よりも低い位置に配置されている。
【００３７】
差込部６５は、支持台６３に隣接して上面６１に設けられた孔部のうち、支持台６２の前方において、前後方向の長さを僅かに備えて平面視左右方向に延びるスリットを形成する部分である（図６参照）。図７に示すように、左側の取付台６０における差込部６５の左側壁２３側の端部６５１が、遮熱板４０の被支持部４３における鉤状部４３２を係止する。また、右側の取付台６０における差込部６５の右側壁２２側の端部６５１が、遮熱板４０の被支持部４６における鉤状部４６２を係止する。
【００３８】
取付台６０の左端には、略垂直上方に延びる壁部６１３が立設されている。壁部６１３は、取付台６０が左側壁２３とグリル庫７との間に架設されるときに左側壁２３に当接して、取付台６０を左右方向において位置決めする（図３参照）。取付台６０の右端に設けられている延出部６１０は、遮熱板４０をグリル庫７の上面とトッププレート３の下面との間において支持するために設けられている。上面６１のうち壁部６１３と支持台６２との間の部分には固定穴６１１が設けられている。
【００３９】
図５に示すように、取付台６０には、取付座７０、突出部８０、およびガスバーナ５が取り付けられる。取付座７０は、ガスバーナ５、鍋センサ５３、点火電極５４および熱電対５５を取付台６０に固定するための部材である。取付座７０は、平面視略長方形状であり、前端部の左右方向略中央が凹状に後方に切り欠かれた金属製である。取付座７０は、第一固定部７２、第二固定部７３、第三固定部７６および下方延出部７７を備える。第一固定部７２は、取付座７０後部の左右方向略中央に設けられ、点火電極５４を取付座７０に固定するための部位である。第二固定部７３は、取付座７０後部において第一固定部７２の右側に設けられ、熱電対５５を取付座７０に固定するための部位である。第三固定部７６は、取付座７０前部の左右方向略中央において下方に延設され、鍋センサ５３を取付座７０に固定するための部位である。下方延出部７７は、取付座７０の右端が前後方向に所定の長さを有して下方に折り曲げられて形成された部分である。なお、取付座７０の左部には固定穴７４１、右部には固定穴７５１がそれぞれ設けられている。
【００４０】
取付台６０に取付座７０を取り付ける場合、取付台６０の上側固定部６２２に設けられている固定穴６２３と、取付座７０の固定穴７４１とが上下方向に重なり合うように位置決めされる。また、上側固定部６３２に設けられている固定穴６３３と、取付座７０の固定穴７５１とが上下方向に重なり合うように位置決めされる。そして、固定穴６２３，６３３に固定穴７４１，７５１が重なり合った状態で、支持台６２，６３の上に取付座７０が載置される。
【００４１】
ガスバーナ５のバーナ本体５０の左右の側部にはフランジ部５７，５８がそれぞれ設けられている。フランジ部５７，５８には、固定穴５７１，５８１がそれぞれ設けられている。バーナ本体５０を取付台６０に取り付ける場合、フランジ部５７の固定穴５７１が、上側固定部６２２の固定穴６２３および左側板部７４の固定穴７４１に対して、上下方向に重なるように位置決めされる。また、フランジ部５８の固定穴５８１が、上側固定部６３２の固定穴６２３および右側板部７５の固定穴７５１に対して、上下方向に重なるように位置決めされる。そして、図示しないねじが、上側固定部６２２の固定穴６２３および取付座７０の固定穴７４１を介して、フランジ部５７の固定穴５７１にねじ止めされる。また、図示しないねじが、上側固定部６３２の固定穴６３３および取付座７０の固定穴７５１を介して、フランジ部５８の固定穴５８１にねじ止めされる。その後、バーナヘッド５２がバーナ本体５０の上部に配置される。
【００４２】
突出部８０は、取付台６０に対して取付座７０の左側に取り付けられ、上面６１に対して上方に突出して設けられる部分である。突出部８０は、上方へ突出する段部を形成するように所定の幅で金属製の板が折り曲げられて形成されている。突出部８０が上面６１に接する基部の略中央には、図示しないねじ孔が設けられている。取付台６０にガスバーナ５が取り付けられた後、突出部８０は、このねじ孔を介してねじ９１によって取付台６０の固定穴６１１にねじ止めされる。
【００４３】
図７から図９を参照して、支持台６３、差込部６５および支持台６３によって支持される取付座７０、即ち支持部６００において、遮熱板４０の被支持部４３，４６が支持される機構について説明する。図７に示すように、遮熱板４０の左縁部４２および右縁部４４は、支持台６３の上側固定部６３２をくぐるようにして配置される。そして、差込部６５（図６参照）に対して被支持部４３，４６における鉤状部４３２，４６２が差し込まれる。そして、差込部６５に差し込まれた鉤状部４３２，４６２が端部６５１において係止されることで、遮熱板４０が筐体２の内部において支持される。詳細は後述するが、この状態で、図９に示すように、下方延出部７７の下端が、切欠き部４３１，４６１の縁部に上側から当接して、遮熱板４０をさらに支持する。このとき、延出部６１０が遮熱板４０を下側から支持しているので、延出部６１０が遮熱板４０に当接する隆起部４１１と被支持部４３，４６との間に位置する左縁部４２、右縁部４４および二つの接続部には、張力が作用している。
【００４４】
図７のＷ２領域に示すように、右側の取付台６０の差込部６５に鉤状部４３２が差し込まれて係止された状態で、差込部６５の端部６５１が鉤状部４３２の奥部４３２Ａに当接している。これと同様に、左側の取付台６０の差込部６５に遮熱板４０の鉤状部４６２が差し込まれて係止された状態で、差込部６５の端部６５１が鉤状部４６２の奥部４６２Ａに当接している。ここで、左側の取付台６０における差込部６５の端部６５１と、右側の取付台６０における差込部６５の端部６５１との間の長さＭ１は、遮熱板４０における鉤状部４３２の奥部４３２Ａと鉤状部４６２の奥部４６２Ａとの間の長さＬ１（図４参照）よりも僅かに短くされている。差込部６５の端部６５１は、支持部６００のうち左側壁２３および右側壁２２に最も近接する部分である。遮熱板４０の鉤状部４３２，４６２の奥部４３２Ａ，４６２Ａは、被支持部４３，４６のうち左側壁２３および右側壁２２に最も近接する部分である。遮熱板４０は弾性変形する金属で形成されているので、遮熱板４０は、全体的に上方に僅かに湾曲した状態で、取付台６０の差込部６５によって鉤状部４３２，４６２が係止される。なお、図７においては、遮熱板４０の全体が上方に湾曲している様子を模式的に示している。また、左側の取付台６０における下方延出部７７と、右側の取付台６０における下方延出部７７との間の長さＭ２（図９参照）は、遮熱板４０における切欠き部４３１の右縁部と切欠き部４６１の左縁部との間の長さＬ２（図９参照）よりも僅かに短くされている。下方延出部７７は、支持部６００のうち左側壁２３および右側壁２２に最も離間する部分である。遮熱板４０の切欠き部４３１の右縁部および切欠き部４６１の左縁部は、被支持部４３，４６のうち左側壁２３および右側壁２２に最も離間する部分である。
【００４５】
このように、遮熱板４０が上方に湾曲して取付台６０に対して支持される場合、遮熱板４０は、上方に湾曲した形状から湾曲していない元の形状へ復元しようとする。遮熱板４０が湾曲変形から復元しようとする際には、左側の取付台６０の差込部６５の端部６５１に奥部４３２Ａを含む鉤状部４３２の内側が、右側の取付台６０の差込部６５の端部６５１に奥部４６２Ａを含む鉤状部４６２の内側が、それぞれ押し付けられる。これにより、遮熱板４０が左右方向に位置決めされた状態で、取付台６０の差込部６５の端部６５１に対して遮熱板４０の鉤状部４３２，４６２が強固に係止される。また、鉤状部４３２，４６２のそれぞれは、端部６５１を上下に挟んでいるので、鉤状部４３２，４６２の上下方向における位置が定まり、鉤状部４３２，４６２が差込部６５から外れにくい。また、鉤状部４３２，４６２が差込部６５の端部６５１を挟持することで、奥部４３２Ａ，４６２Ａが端部６５１に当接するので、遮熱板４０の左右方向の位置が定まる。前述のように、差込部６５の前後方向の長さは僅かであるので、差込部６５の端部６５１に支持された鉤状部４３２，４６２は、前後方向にずれにくい。本実施形態では、鉤状部４３２，４６２の後方に隣接して支持台６３の立設部６３１が立設されているので、鉤状部４３２，４６２の後方への位置ずれが、立設部６３１によって効果的に阻害される。このようにして、こんろ１は、遮熱板４０の形状復元力を用いることで、遮熱板４０を取付台６０に支持させるための特段の機構を設けることなく、遮熱板４０を取付台６０に安定して支持させることができる。また、遮熱板４０を湾曲変形した状態で取付台６０に支持させる場合、二つの接続部４１２、左縁部４２および右縁部４４が上面部４１よりも下方に配置されるので、遮熱板４０が湾曲変形した状態に保たれやすい。
【００４６】
作業者が遮熱板４０を取付台６０に支持させる場合、遮熱板４０が上方に湾曲するように遮熱板４０に外力を加えながら、遮熱板４０の鉤状部４３２，４６２を取付台６０のスリット部に係止させる必要がある。本実施形態では、遮熱板４０の上面部４１に設けられている隆起部４１１の下面に延出部６１０の上側部６１５を当接させることで、上側部６１５が隆起部４１１の内側に納まり、取付台６０に対して遮熱板４０が位置決めされる。このため、遮熱板４０に外力を加えながらの作業であっても、取付台６０に対する遮熱板４０の位置決めを容易に行える。
【００４７】
図８に示すように、切欠き部４３１は、前後に所定の幅を有して左縁部４２を切り欠いており、その幅は、下方延出部７７が設けられている側の取付座７０の端部の前後方向の長さよりも僅かに長くされている。また、切欠き部４３１は、取付台６０に遮熱板４０が支持された状態で、取付座７０の配置される位置に対応した前後方向の位置に設けられている。仮に左縁部４２に切欠き部４３１が設けられていない場合、取付座７０との干渉を避けるため遮熱板４０に左右から外力を加えて大きく湾曲させつつ、左縁部４２を取付座７０の下方をくぐらせながら鉤状部４３２を差込部６５に係止させる作業を行う必要がある。本実施形態では、切欠き部４３１が上記の幅および配置を備えているので、遮熱板４０の湾曲変形の度合いを少なくしても、取付台６０への遮熱板４０の取付時に左縁部４２が取付座７０に干渉し難い。このため、取付台６０に遮熱板４０を支持させる作業が容易になる。なお、右縁部４４における切欠き部４６１の幅および配置も、切欠き部４３１と同様に、取付座７０の下方延出部７７が設けられている側の端部の長さおよび取付座７０の位置に対応している。
【００４８】
また、鉤状部４３２，４６２は、被支持部４３，４６において切欠き部４３１，４６１に連続して形成されている。このため、左縁部４２および右縁部４４を取付座７０の下方をくぐらせながら鉤状部４３２，４６２を差込部６５に係止させる際に、取付座７０に左縁部４２および右縁部４４が干渉しないので、差込部６５への遮熱板４０の取付が容易になる。
【００４９】
また、遮熱板４０の鉤状部４３２，４６２を差込部６５に係止させる作業を行う場合、作業者は、左縁部４２および右縁部４４を取付座７０の下方をくぐらせながら鉤状部４３２，４６２を差込部６５に係止させる。本実施形態では、左縁部４２および右縁部４４が左方および右方へ向けてそれぞれ下り傾斜しているので、左縁部４２および右縁部４４を取付座７０の下方にくぐらせやすく、取付台６０に遮熱板４０を取り付けやすい。
【００５０】
取付台６０に遮熱板４０が取り付けられると、左側の取付台６０における取付座７０の右端が延出部６１０の上側部６１５よりも低い位置において右方へ延びる。そして、図８に示すように、下方延出部７７の下端が、切欠き部４３１の右奥部分に接する部分の左縁部４２の上側に当接する。下方延出部７７の下端は、前後方向に所定の長さで延びて切欠き部４３１の縁部の上側から当接することで、遮熱板４０が前後方向に位置ずれすることを防止している。なお、図９に示すように、切欠き部４６１の左奥部分に接する部分の右縁部４４にも、取付座７０の下方延出部７７の下端が上側から当接する。取付座７０の下方延出部７７の下端が、切欠き部４３１，４６１の縁部に当接することで、切欠き部４３１，４６１近傍の左縁部４２および右縁部４４の形状が安定する。このため、鉤状部４３２，４６２が差込部６５に対してずれにくくなり、遮熱板４０の前後方向への位置ずれが効果的に防止される。
【００５１】
図９のＷ３領域に示すように、延出部６１０の上側部６１５は、下方延出部７７の下端よりも上方において、遮熱板４０の隆起部４１１の下面に当接している。また、遮熱板４０の左縁部４２の左端部は、鉤状部４３２において、下方延出部７７の下端よりも下方に位置する取付台６０の差込部６５の端部６５１に係止されている（図７参照）。このため、鉤状部４３２によって左縁部４２の左端部は、差込部６５に向けて下方に引き付けられている。このとき、延出部６１０の上側部６１５が下側から当接することによって、隆起部４１１が左縁部４２の左端部に対して上方に持ち上げられる。これにより、遮熱板４０のうち隆起部４１１と遮熱板４０の左縁部４２の左端部との間の部分に上下方向に張力が作用している。なお、遮熱板４０の右縁部４４の左端部は、鉤状部４６２において右側の取付台６０の差込部６５の端部６５１に係止されており、鉤状部４３２によって右縁部４４の右端部は、差込部６５に向けて下方に引き付けられている。
【００５２】
このとき、遮熱板４０には、湾曲変形に対する復元力が作用しており、遮熱板４０の左縁部４２の左端部は、取付台６０の差込部６５の端部６５１に向けて左方へ押し出すようにして差込部６５に支持されている。よって、隆起部４１１と遮熱板４０の左縁部４２の左端部との間の部分には、左右方向の張力も作用している。従って、遮熱板４０の隆起部４１１と遮熱板４０の左縁部４２の左端部との間の部分には、上下方向および左右方向の張力が作用することで突っ張った状態になり、当該部分の形状が安定する。このため、遮熱板４０の左縁部４２の左端部は、安定して取付台６０に支持される。なお、遮熱板４０の隆起部４１１と遮熱板４０の右縁部４４の右端部との間の部分についても同様に上下方向および左右方向の張力が作用することで形状が安定するので、右縁部４４の右端部が安定して取付台６０に支持される。
【００５３】
この状態において、遮熱板４０には湾曲変形に対する復元力が作用しているので、遮熱板４０には、復元力に対する反力が、取付台６０の差込部６５の端部６５１から作用する。図９のＷ３領域に示すように、このとき、取付座７０の下方延出部７７の下端は、切欠き部４３１の右奥の縁部に上側から当接している。これにより、遮熱板４０の左縁部４２に下方延出部７７の下端が当接する部分に対して、左縁部４２の左端部を、反力に対して左方へ向けて押し出す方向の力が作用する。この力は、湾曲変形の復元力に対する反力に逆らうように、左縁部４２の左端部を左方に向けて押し戻すように作用するので、鉤状部４３２，４６２が取付台６０の差込部６５から外れにくくなる。このように、こんろ１は、取付座７０の下方延出部７７の下端を遮熱板４０の左縁部４２に当接させることで、遮熱板４０の左縁部４２の左端部を、取付台６０に安定して支持させることができる。なお、図９に示すように、右側の取付台６０に取り付けられている取付座７０の下方延出部７７下端が、遮熱板４０の右縁部４４における切欠き部４６１の左奥の縁部に上側から当接するので、右縁部４４の右端部を反力に対して右方へ向けて押し出す方向の力が、右縁部４４に作用する。これにより、右縁部４４の右端部が、取付台６０に安定して支持される。
【００５４】
以上説明したように、遮熱板４０の左縁部４２の被支持部４３に設けられている鉤状部４３２は、左側の取付台６０に設けられた差込部６５の端部６５１に係止される。また、遮熱板４０の右縁部４４の被支持部４６に設けられている鉤状部４６２は、右側の取付台６０における差込部６５の端部６５１に係止される。また、下方延出部７７の下端が、切欠き部４３１，４６１の縁部のそれぞれに当接する。遮熱板４０における鉤状部４３２の奥部４３２Ａと鉤状部４６２の奥部４６２Ａとの間の長さＬ１よりも、左側の取付台６０における差込部６５の端部６５１と、右側の取付台６０における差込部６５の端部６５１との間の長さＭ１よりも僅かに短くされている。従って、遮熱板４０は、全体的に上方に僅かに湾曲した状態で、取付台６０の差込部６５に鉤状部４３２，４６２が係止される。この状態で、遮熱板４０は、上方に湾曲した形状から湾曲していない元の形状へ復元しようとする。遮熱板４０が湾曲変形から復元しようとする際には、左側の取付台６０の差込部６５の端部６５１に鉤状部４３２の奥部４３２Ａが、右側の取付台６０の差込部６５の端部６５１に鉤状部４６２の奥部４６２Ａが、それぞれ押し付けられる。よって、遮熱板４０を固定するためのねじ止め部等、他の機構を特段に設けることなく、遮熱板４０が支持台６３、差込部６５および支持台６３によって支持される取付座７０において取付台６０に安定して支持される。
【００５５】
一対の取付台６０，６０のグリル庫７側の端部には、グリル庫７における左側壁２３側および右側壁２２側の縁部の上面から上方に延出する延出部６１０が設けられている。延出部６１０の上側部６１５は、遮熱板４０の隆起部４１１の下面に当接して、隆起部４１１，４１１を左縁部４２の左端部および右縁部４４の右端部に対して上方に持ち上げる。また、遮熱板４０の左縁部４２の左端部および右縁部４４の右端部は、鉤状部４３２，４６２において、取付台６０の差込部６５の端部６５１に係止されている。このため、鉤状部４３２，４６２によって左縁部４２の左端部および右縁部４４の右端部が、差込部６５に向けて下方に引き付けられている。また、遮熱板４０には、湾曲変形に対する復元力が作用しているので、遮熱板４０の左縁部４２の左端部は、左側の取付台６０の差込部６５の端部６５１に向けて左方へ押し出すようにして差込部６５に支持されている。また、遮熱板４０の右縁部４４の左端部は、右側の取付台６０の差込部６５の端部６５１に向けて右方へ押し出すようにして差込部６５に支持されている。このため、遮熱板４０の隆起部４１１と遮熱板４０の左縁部４２の左端部との間の部分および隆起部４１１と右縁部４４の左端部との間の部分には、上下方向および左右方向の張力が作用することで突っ張った状態になり、当該部分の形状が安定する。これにより、遮熱板４０の左縁部４２の左端部および右縁部４４の右端部が、安定して取付台６０に支持される。また、遮熱板４０とグリル庫７の上面との間隔は、延出部６１０によって所定の間隔に規制される。この場合、グリル庫７で発生した熱は、遮熱板４０とグリル庫７の上面との間隔に入り込んだ空気を介して遮熱板４０に伝導されるので、グリル庫７の上面に遮熱板４０が接触している場合に比べて遮熱板４０の温度が高くなりにくい。延出部６１０の上側部６１５は、取付台６０の差込部６５よりも上方に配置されるので、延出部６１０は遮熱板４０が上方に湾曲変形した状態を保ちながら、グリル庫７の上方において遮熱板４０を支持できる。
【００５６】
遮熱板４０の上面部４１に設けられている二つの隆起部４１１は、遮熱板４０が取付台６０に対して取り付けられた状態で、取付台６０における延出部６１０の上側部６１５の形状に沿って、上側部６１５を上方から覆うように形成されている。よって、遮熱板４０の上面部４１に設けられている隆起部４１１の下面に延出部６１０の上側部６１５を当接させることで、上側部６１５が隆起部４１１の内側に納まるので、取付台６０に対する遮熱板４０の位置決めが容易である。また、トッププレート３が熱歪みによって下方に変位することがあっても、遮熱板４０の上面部４１において隆起部４１１が上方に隆起しているので、トッププレート３が隆起部４１１よりも下方に変位することが規制される。即ち、トッププレート３が下方に変位しても、トッププレート３が遮熱板４０の全体に接触することが防止されるので、トッププレート３の温度が上昇し難い。
【００５７】
遮熱板４０には湾曲変形に対する復元力が作用しており、復元力に対する反力が、取付台６０の差込部６５の端部６５１から遮熱板４０に作用する。この反力の作用によって遮熱板４０がさらに上方に大きく湾曲変形したような場合には、取付台６０の差込部６５から鉤状部４３２，４６２が外れやすくなる可能性がある。このとき、取付座７０の下方延出部７７の下端は、左縁部４２における切欠き部４３１の右奥の縁部および右縁部４４における切欠き部４６１の左奥の縁部のそれぞれに、上側から当接している。これにより、左縁部４２および右縁部４４に下方延出部７７の下端が当接する部分に対して、左縁部４２の左端部および右縁部４４の右端部を、反力に対して押し出す方向の力が作用する。この力は、湾曲変形の復元力に対する反力に逆らう方向に作用するので、鉤状部４３２，４６２が取付台６０の差込部６５から外れにくくなる。従って、遮熱板４０は、取付台６０によってより強固に支持される。
【００５８】
仮に左縁部４２および右縁部４４に切欠き部４３１，４６１が設けられていない場合、取付座７０との干渉を避けるため遮熱板４０に左右から外力を加えて大きく湾曲させつつ、左縁部４２を取付座７０の下方をくぐらせながら鉤状部４３２，４６２を差込部６５に係止させる作業を行う必要がある。本実施形態では、切欠き部４３１，４６１の前後方向の長さが、下方延出部７７が設けられている側の取付座７０の端部の前後方向の長さよりも僅かに長くされている。また、切欠き部４３１，４６１は、取付台６０に遮熱板４０が支持された状態で、取付座７０の配置される位置に対応した前後方向の位置に設けられている。このため、遮熱板４０を取付台６０に取り付けるときに、遮熱板４０の湾曲変形の度合いを少なくしても、取付台６０への遮熱板４０の取付時に左縁部４２が取付座７０に干渉し難い。このため、取付台６０への遮熱板４０の取付時に遮熱板４０に加える外力を小さくできる、取付台６０に遮熱板４０を支持させる作業が容易になる。また、取付座７０の下方延出部７７は、前後方向に所定の長さで延びて切欠き部４３１，４６１の縁部の上側から当接することで、遮熱板４０が前後方向に位置ずれすることを防止している。取付座７０の下方延出部７７の下端が、切欠き部４３１，４６１の縁部に当接することで、切欠き部４３１，４６１近傍の左縁部４２および右縁部４４の形状が安定する。このため、鉤状部４３２，４６２が差込部６５に対してずれにくくなり、遮熱板４０の前後方向への位置ずれが効果的に防止される。
【００５９】
差込部６５は、支持台６２に隣接したスリット形状を有しているので、差込部６５の端部６５１に支持された鉤状部４３２，４６２は、前後方向にずれにくい。また、鉤状部４３２，４６２のそれぞれは、差込部６５の端部６５１を上下に挟んでいるので、鉤状部４３２，４６２が差込部６５から外れにくい。鉤状部４３２，４６２の差込部６５の端部６５１を挟持することで、奥部４３２Ａ，４６２Ａが端部６５１に当接するので、遮熱板４０の左右方向の位置が定まる。このため、遮熱板４０の前後方向および左右方向への位置ずれを防止するための他の機構を設けることなく、遮熱板４０が取付台６０に対して安定して取り付けられる。
【００６０】
遮熱板４０の左縁部４２および右縁部４４は、左方および右方へ向けてそれぞれ下り傾斜している。このため、左縁部４２および右縁部４４を取付座７０の下方にくぐらせやすく、取付台６０に遮熱板４０を取り付けやすい。また、左縁部４２および右縁部４４が上面部４１よりも下方に配置されるので、遮熱板４０が湾曲変形した状態に保たれやすい。
【００６１】
本実施形態において、こんろ１が、本発明の「こんろ」に相当する。筐体２が、本発明の「筐体」に相当する。トッププレート３が、本発明の「天板」に相当する。グリル庫７が、本発明の「グリル庫」に相当する。遮熱板４０が、本発明の「遮熱板」に相当する。支持台６３、差込部６５および支持台６３によって支持される取付座７０が、本発明の「支持部」に相当する。被支持部４３，４６が、本発明の「被支持部」に相当する。切欠き部４３１，４６１が、本発明の「切欠き部」に相当する。鉤状部４３２，４６２が、本発明の「鉤状部」に相当する。左縁部４２および右縁部４４が、本発明の「面部」に相当する。延出部６１０が、本発明の「突出部」に相当する。支持台６２および取付座７０が、本発明の「延出部」に相当する。下方延出部７７が、本発明の「屈曲部」に相当する。
【００６２】
なお、本発明は上記実施形態に限定されるものではなく、種々の変更が可能である。例えば、切欠き部４３１，４６１が左縁部４２および右縁部４４を遮熱板４０の内側に向けて切り欠く深さが上記実施形態よりも浅くされていてもよい。具体的には、取付台６０に対して遮熱板４０が取り付けられた状態で、切欠き部４３１の右奥部が左側の取付台６０の支持台６３の立設部６３１に右側から当接し、切欠き部４６１の左奥部が右側の取付台６０の支持台６３の立設部６３１に左側から当接してもよい。この場合、遮熱板４０の左端部および右端部が筐体２の内部において支持される部分が前後方向において増加するので、遮熱板４０がより安定して筐体２内部において支持される。
【００６３】
また、左縁部４２および右縁部４４に切欠き部４３１，４６１が設けられていなくてもよい。この場合であっても、取付座７０との干渉を避けるように遮熱板４０を湾曲させることで、遮熱板４０を取付台６０に取り付ける作業を行うことができる。さらに、左縁部４２および右縁部４４に鉤状部４３２，４６２が設けられていなくてもよい。この場合において、例えば、左縁部４２の左端を支持台６３の立設部６３１に右側から当接させ、右縁部４４の右端を支持台６３の立設部６３１に左側から当接させることで遮熱板４０を二つの支持台６３によって左右に挟持させて、遮熱板４０を筐体２内部に取り付けることができる。この場合、立設部６３１が本発明の「支持部」に相当し、左縁部４２の左端および右縁部４４の右端が本発明の「被支持部」に相当する。即ち、本発明に係る「支持部」は、遮熱板４０に対して当接することで遮熱板４０を筐体２の内部において支持する部位であればよい。
【００６４】
上記実施形態において、下方延出部７７は、左縁部４２における切欠き部４３１の右奥部分および右縁部４４における切欠き部４６１の左奥部分のそれぞれに上側から当接している。下方延出部７７は、例えば、切欠き部４３１，４６１の前側の縁部、切欠き部４３１，４６１の後側の縁部に当接してもよい。また、上記のように、左縁部４２および右縁部４４に切欠き部４３１，４６１が設けられない場合には、下方延出部７７は左縁部４２および右縁部４４のいずれかの部分に上側から当接していればよい。
【００６５】
上記実施形態において、下方延出部７７は、取付座７０の端部において前後方向に所定の長さで延び、下方延出部７７下端の前後方向における全体が切欠き部４３１，４６１の縁部の上側から当接するように形成されているが、下方延出部７７の形状はこれに限られない。例えば、前後方向に延びる下方延出部７７の下端のうち前端部および後端部等の複数の部分が他の部分よりも下方に突出しており、下方に突出した部分が切欠き部４３１，４６１の縁部の上側から当接するように形成されていてもよい。この場合であっても、前後方向の異なる位置で下方延出部７７が切欠き部４３１，４６１近傍の左縁部４２および右縁部４４に当接するので、遮熱板４０の前後方向への位置ずれが防止される。
【００６６】
上記実施形態において、下方延出部７７は取付座７０の端部が下方に折り曲げられて形成されているが、例えば、支持台６３の上側固定部６３２の端部が下方に折り曲げられることで、下方延出部７７に相当する形状に形成されていてもよい。また、取付座７０に下方延出部７７が設けられておらず、略水平方向に延びる取付座７０の端部が、左縁部４２および右縁部４４の上側から当接する構成であってもよい。また、略水平方向に延びる上側固定部６３２の端部が左縁部４２および右縁部４４の上側から当接する構成であってもよい。
【００６７】
上記実施形態では、延出部６１０、支持台６３、差込部６５、取付座７０の下方延出部７７が取付台６０の一部分、または取付台６０に対して取り付けられる部分として構成されている。これにより、こんろ１は、筐体２内部の部品点数の増加を抑制している。延出部６１０、支持台６３、差込部６５、取付座７０の下方延出部７７は必ずしも取付台６０の一部分、または取付台６０に対して取り付けられる部分として構成されていなくてもよく、筐体２内部の構成として設けられていればよい。
【００６８】
上記実施形態において、一対の取付台６０，６０における差込部６５同士の間の長さＭ１は、遮熱板４０における鉤状部４３２の奥部４３２Ａと鉤状部４６２の奥部４６２Ａとの間の長さＬ１よりも短くされている。グリル庫７の大きさ、グリル庫７とトッププレート３との間の長さ、遮熱板４０の材質および形状、筐体２内部における差込部６５の配置等に伴い、遮熱板４０を湾曲変形させる度合いは様々であり、遮熱板４０に作用する復元力の大きさ、遮熱板４０に作用する張力の大きさも様々である。このため、長さＬ１と長さＭ１の差は、事前の実験等に応じて、差込部６５において遮熱板４０を安定して支持させるために最適な長さを設定してよい。長さＬ２と長さＭ２の差においても同様である。
【符号の説明】
【００６９】
１    こんろ
２    筐体
３    トッププレート
７    グリル庫
４０  遮熱板
４２    左縁部
４４    右縁部
４２    左縁部
４３，４６    被支持部
４４    右縁部
６２    支持台
７０    取付座
７７    下方延出部
４３１，４６１    切欠き部
４３２，４６２    鉤状部
６００    支持部
６３１    立設部
【図１】
0006639161.tif 000002
【図２】
0006639161.tif 000003
【図３】
0006639161.tif 000004
【図４】
0006639161.tif 000005
【図５】
0006639161.tif 000006
【図６】
0006639161.tif 000007
【図７】
0006639161.tif 000008
【図８】
0006639161.tif 000009
【図９】
0006639161.tif 000010